(57)【特許請求の範囲】
【請求項１】
空気流入口と排気孔とを備える容器の外部から該容器内に前記空気流入口を介して流入した空気が前記容器内に配設された消臭剤を通過して前記排出孔から再び外部へ流出することによって空気の消臭が行われるようにした空気消臭装置において、前記容器を、その側部が片手で掴める大きさをし、かつ横断面の外周形状が略円形または略正多角形をした鉛直方向に長尺な筒状に形成し、該容器の側面部に前記空気流入口を開口し、この空気流入口の上方に前記消臭剤を配設し、この消臭剤の上方に前記排気孔を設け、さらに当該空気消臭装置を水平面上に安定的に設置するための設置部を前記容器の下面部に設けるとともに、当該設置部に設置された状態で前記空気流入口が自動車のエアコン用の空気吹出孔又は冷蔵庫の冷風吹出孔と対向するようにして、当該空気吹出孔又は冷風吹出孔から略水平方向に排出される空気が空気流入口から導入されるよう構成されたことを特徴とする空気消臭装置。
【請求項２】
請求項１において、前記容器を、身の回り品の形態を模倣した形態としたことを特徴とする空気消臭装置。
【請求項３】
請求項１または２の空気消臭装置において、前記容器を違いに嵌脱可能な上側容器と下側容器とで構成し、これら容器の少なくとも何れか一方の容器内に前記消臭剤を脱着可能に設置するようにしたことを特徴とする空気消臭装置。
【請求項４】
請求項１から３のいずれかに記載の空気消臭装置において、前記消臭剤と前記排出孔との間に空間を設けたことを特徴とする空気消臭装置。
【発明の詳細な説明】
【０００１】
【発明の属する技術分野】
本発明は、空気を、消臭剤を通過させることによって消臭するようにした空気消臭装置に関するものである。
【０００２】
【従来の技術】
従来のこの種の空気消臭装置には、容器が偏平な形状をしたものがある。この容器の底面部には外部の空気を容器内に取り入れるための空気流入口が設けられている。該空気流入口から導入された空気は、容器内にセットされた消臭剤を通過して容器の上面部に設けられた排気孔から排気されるようになっている。
【０００３】
このような従来の空気消臭装置を例えば図１５に示すような自動車の乗車室内で使用する場合は、消臭効果を高めるために空気消臭装置をダッシュボード上面に設けられた空気吹出孔８（フロントガラス１２の曇を防止するためのもの）の上に設置して、空気消臭装置の空気流入孔が前記空気吹出孔８に対向するようにしている。即ち前記空気吹出孔８から略上方に向かって排出された空気が直接かつ強制的に空気消臭装置の空気流入孔に導入され、この導入された空気は消臭剤を通過して空気消臭装置の容器上面部に設けられた排気孔から排気される。このため多量の空気が消臭剤を通過し、乗車室内の空気が効率よく消臭される。
【０００４】
しかし、前記空気吹出孔８はフロントガラス１２の曇を防止するためのものであり、その曇止めを行うのは冬期や雨天時などでフロントガラス１２に曇を生じた場合に限られる。乗車室内のエアコン用の空気吹出孔７ａ，７ｂ，７ｃと比較すると前記空気吹出孔８の使用頻度はあまり高くなく、曇止めを行わない場合、即ち該空気吹出孔８から空気が排出されない場合は多量の空気が消臭剤を通過しないので、空気消臭装置の消臭効果が期待できない。
【０００５】
そこで、使用頻度の比較的高い前記エアコン用の空気吹出孔７ａ，７ｂ，７ｃのうち何れかの前方に前記空気消臭装置を設置することが考えられる。ところで、このエアコン用の空気吹出孔７ａ，７ｂ，７ｃの前方にはカーショップ等で販売されている飲料容器収納ケースを取り付けることがよくある。該飲料容器収納ケースはエアコンの冷風または暖風を利用して缶入りジュース等の飲料を適温にするためのものである。そこで、前記の飲料容器収納ケースに前記空気消臭装置を設置することが考えられる。
【０００６】
ところが従来の空気消臭装置は上述のように空気を取り入れるための空気流入口が空気消臭装置の容器の底面部に設けられているので、空気を十分取り入れるためには空気流入口が設けられている前記底面部を前記の空気吹出孔７ａ，７ｂ，７ｃの何れかに対向させるようにして前記の飲料容器収納ケース内に空気消臭装置を設置しなければならない。
【０００７】
しかし、前記の飲料容器収納ケースは缶入りジュース等の容器を一つだけ収納することができる程度の容積しかないので、容器が偏平な形状をした従来のような空気消臭装置だと寸法的に飲料容器収納ケース内に収納・設置することができない。また、たとえ収納・設置することができたとしても偏平な形状をした容器の幅狭な側面部分が飲料容器収納ケース内底面への設置面となるため安定性が悪く、空気消臭装置が何れかの方向に傾倒してその容器の外面が飲料容器収納ケースの上縁に当接し、傾倒したまま元の正立状態に戻らない虞がある。このため空気消臭装置の空気流入口が空気吹出孔７ａ，７ｂ，７ｃの何れかに対向しなくなり、消臭効果を殆ど発揮することができない虞がある。
【０００８】
また、このような従来の空気消臭装置を冷蔵庫内で使用する場合も、冷蔵庫の食料品保存室に設けられている冷風吹出孔からは通常略水平方向に冷風が吹き出されるため、上記同様容器の底面部の空気流入口を前記の冷風吹出孔に対向させるようにして空気消臭装置を設置しなければならない。このため、偏平な形状をした容器の幅狭な側面部分を食料品保存棚への設置面としなければならないので安定性が悪く、上記と同様の問題がある。また、たとえ安定して設置できたとしても、前記の空気流入口から導入された空気を排気する排気孔が空気流入口に対して反対側に設けられているので、食料品保存棚に設置された空気消臭装置に近接して食料品を並置すると該食料品によって前記排気孔が遮蔽される虞がある。このため消臭効果を十分発揮することができなくなる虞がある。
【０００９】
【発明が解決しようとする課題】
本発明は前記従来の事情に鑑みてなされたもので、前記飲料容器収納ケースや冷蔵庫の食料品保存室等にも簡単に、かつ安定して設置でき、しかも自動車のエアコン用の空気吹出孔や冷蔵庫の冷風吹出孔等の略水平方向に吹き出される空気を効果的に消臭することができる空気消臭装置を提供することを目的としている。
【００１０】
【課題を解決するための手段】
前記課題を達成するための本発明の空気消臭装置は次の如くである。
【００１１】
尚、この「課題を解決するための手段」の項において、下記した（  ）内の用語は、特許請求の範囲の用語に対応するものである。
【００１２】
請求項１の発明に係る空気消臭装置１は、空気流入口２ｂと排気孔３ｃとを備える容器の外部から該容器内に前記空気流入口２ｂを介して流入した空気が前記容器内に配設された消臭剤４を通過して前記排出孔３ｃから再び外部へ流出することによって空気の消臭が行われるようにした空気消臭装置１において、前記容器を、その側部が片手で掴める大きさをし、かつ横断面の外周形状が略円形または略正多角形をした鉛直方向に長尺な筒状に形成し、該容器の側面部に前記空気流入口２ｂを開口し、この空気流入口２ｂの上方に前記消臭剤４を配設し、この消臭剤４の上方に前記排気孔３ｃを設け、さらに当該空気消臭装置１を水平面上に安定的に設置するための設置部６ａを前記容器の下面部に設けるとともに、当該設置部に設置された状態で前記空気流入口が自動車のエアコン用の空気吹出孔又は冷蔵庫の冷風吹出孔と対向するようにして、当該空気吹出孔又は冷風吹出孔から略水平方向に排出される空気が空気流入口から導入されるよう構成されたことを特徴としている。
【００１３】
また、請求項２の発明に係る空気消臭装置１は、請求項１において、前記容器を、身の回り品の形態を模倣した形態としたことを特徴としている。
【００１４】
また、請求項３の発明に係る空気消臭装置１は、請求項１または２において、前記容器を互いに嵌脱可能な蓋体３（上側容器）と容器本体２（下側容器）とで構成し、これら容器の少なくとも何れか一方の容器内に前記消臭剤４を着脱可能に設置するようにしたことを特徴としている。
【００１５】
また、請求項４の発明に係る空気消臭装置１は、請求項１から３のいずれかに記載の空気消臭装置において、前記消臭剤４と前記排気孔３ｃとの間に空間３ｄを設けたことを特徴としている。
【００１６】
【発明の実施の形態】
以下、本発明の実施の形態を添付図面に基づいて説明する。
（１）  第１実施形態
図１乃至９は本発明の第１実施形態を示すものであり、図中１は本実施形態に係る空気消臭装置である。該空気消臭装置１は主に、容器を構成する容器本体２（樹脂製）および蓋体３（樹脂製）と前記容器内に収納される消臭剤４とで構成されている。前記容器本体２および蓋体３は有底円筒状に形成されており、これら容器本体２および蓋体３とが一体的に結合されて構成される容器は、その側部を片手で掴める大きさをし、かつ横断面の外周形状が略円形をした鉛直方向に長尺な筒状すなわち外観的には缶入り清涼飲料水の容器と略同一の形態・大きさに形成されている。このように容器を蓋体３および容器本体２の上下二分割構造としたので、各容器を製造する際の成形が容易となる。容器本体２の側面部（容器本体２の底面部２ａ側寄り）には空気を導入するための略矩形をした空気流入口２ｂが開口されている。
【００１７】
一方、容器本体２の内壁面に内方に向かって円周状に突設されたリブ２ｃは、消臭剤４を容器本体２内に保持するためのもので、図６に示すようにリブ２ｃの上面には樹脂製の環状プレート５が載置され、その環状プレート５の上面に消臭剤４が載置されている。
消臭剤４の上側にはさらに環状プレート５が載置され、その上方から蓋体３が容器本体２の上部に装着されている。
【００１８】
前記蓋体３の下部は外径寸法が若干小さくされ段差が設けられている。この段差は、蓋体３が容器本体２に結合されたとき両者の外周側面が段差なく連続的になるように設けられたものである。前記段差部分の外周には横方向外方に向かって円周状に凸部３ａが突設されている。この凸部３ａが、容器本体２の上部内周面に横方向内方に向かって凹設された円周状の凹部２ｄ内に係合されることによって、容器本体２と蓋体３とが一体的に結合される。蓋体３の凸部３ａを容器本体２の凹部２ｄ内に係合するとき、容器本体２および蓋体３は樹脂製なので弾性変形が可能であるため、両者の係合作業は円滑に行われる。また、係合した後も弾性変形による復元により蓋体３の凸部３ａが容器本体２の凹部２ｄ内にしっかり係合され、容器本体２と蓋体３とは強固に結合される。
【００１９】
蓋体３の底面部３ｂは蓋体３の上端より低くなっており、この底面部３ｂには多数の小さな排気孔３ｃ…が設けられている。
【００２０】
消臭剤４は、樹脂製の円筒体４ａと無数の微小孔を有する和紙、不織布または織布で成形された通風性シート４ｂ，４ｂとからなる収納容器内に粉粒状（粉体および／もしくは粒体）の活性炭４ｃが充填されて構成されている。活性炭４ｃは、通風性シート４ｂが接着剤によって予め下面側に貼り付けられた円筒体４ａ内に充填された後、該円筒体４ａの上面側に通風性シート４ｂが接着剤によって貼り付けられ、密封されている。なお、前記の通風性シート４ｂ，４ｂは円筒体４ａの上下端面およびその近傍の外周側面部に亘って接着剤により貼り付けられているので、接着強度を十分確保することができる。
【００２１】
容器本体２の底面部２ａの下面部には下方に向かって凹部２ｅが形成され、該凹部２ｅに、ゴム材等からなる摩擦部材６が接着剤により接着されている。該摩擦部材６は、その外径寸法が前記底面部２ａの外径寸法と略同一とされ、その板厚寸法が前記凹部２ｅの深さより若干厚く設定され、容器本体２の下端より下方に突出している。
【００２２】
以上のように構成された空気消臭装置１を図１５に示すような自動車の乗車室内で使用する場合は、エアコン用の空気吹出孔７ａ，７ｂ，７ｃのうちの何れか（例えば空気吹出孔７ａ）の導風板９に挟持部１０ａによって固定された篭状の飲料容器収納ケース１０（エアコンの冷風または暖風を利用して缶入りジュース等の飲料を適温にするためのもの）内に空気消臭装置１を収納・設置する。そして該空気消臭装置１の空気流入口２ｂが前記空気吹出孔７ａに対向するようにする。このとき容器本体２の底面部２ａの下面部に接着された摩擦部材６底面の設置部６ａが飲料容器収納ケース１０内の底面部１０ｂに接触して摩擦力が十分作用するため、自動車の走行中の路面振動等によって飲料容器収納ケース１０に対する空気消臭装置１の相対位置がずれることが防止される。このため前記空気吹出孔７ａに対する空気消臭装置１の空気流入口２ｂの相対位置もずれることがない。
【００２３】
而してエアコンの作動中には前記空気吹出孔７ａから略水平方向に排出される冷風または暖風が図７において矢印で示すように篭状の飲料容器収納ケース１０の隙間を通って、直接かつ強制的に空気消臭装置１の空気流入口２ｂに導入される。この導入された空気は図８において矢印で示すように容器本体２の内壁に衝突した後、左右に振り分けられて容器本体２の内壁に沿って流れる。
【００２４】
一方、容器本体２の円筒軸心Ｏを中心とする空気流入口２ｂの開口角度Θが１８０度未満に設定されているので、前記左右に振り分けられた空気は容器本体２から外方へ殆ど流出することなく容器本体２内に滞留する。このため該空気が、容器本体２内に後から導入される空気によって圧力を高められ、特に、消臭剤４の直下に位置する容器本体２内の空間２ｆの空気圧が上昇する。その結果、前記空間２ｆに存する空気が消臭剤４全体に亘って均一に該消臭剤４内を通過して蓋体３内の空間３ｄに流入し、蓋体３の底面部３ｂに設けられた排気孔３ｃから排気される。
【００２５】
このとき消臭剤４の上面と排気孔３ｃの下端とが近接していると、消臭剤４の排気孔３ｃの真下に位置する部分のみに空気が集中的に流れるおそれがあるが、両者はその間に空間３ｄを介して離間しているので、容器本体２内の空間２ｆの空気圧が上昇するに伴って空気は、消臭剤４全体に亘って均一に通過することができる。このため消臭剤４に充填されている活性炭４ｃが均等に劣化するので消臭剤４を経済的に使用することができる。
而して多量の空気が消臭剤４内を通過し、乗車室内の空気が効率よく消臭される。
【００２６】
しかも、前記空気吹出孔７ａはエアコン用のものなのでフロントガラス１２の曇止め用の空気吹出孔８に比べて使用頻度が高く、空気消臭装置１による消臭効果を十分発揮できる。
【００２７】
空気消臭装置１の使用により消臭剤４の消臭効果が消失または低下した場合は、樹脂材の弾性を利用して容器本体２の凹部２ｄから蓋体３の凸部３ａを離脱させ容器本体２から蓋体３を取り外し、さらに容器本体２の上部の開口部２ｇから環状プレート５，消臭剤４および環状プレート５をこれらの順に取り外す（図９）。このように空気消臭装置１は分解可能なため、前記の使用済みの消臭剤４を新品の消臭剤４と容易に交換することができるだけでなく、交換する前に環状プレート５，５や蓋体３および容器本体２の各内面を清掃することもできる。
【００２８】
分解した空気消臭装置１を再度組み立てるには、容器本体２に環状プレート５，消臭剤４，環状プレート５および蓋体３をこれらの順に組み付ければよい。このとき消臭剤４の上側に載置された環状プレート５の上面が蓋体３の下端部によって押圧されて消臭剤４が上下の環状プレート５，５間にガタなく強固に挟持される。このため消臭剤４の外周の隙間から空気が漏れるようなことはなく、空気流入口２ｂに導入された空気は確実に消臭剤４内を通過する。
【００２９】
以上のような第１実施形態による空気消臭装置１によれば、自動車のエアコン用の空気吹出孔７ａ，７ｂ，７ｃの前方に取り付けられた飲料容器収納ケース１０内や冷蔵庫内等にも簡単に設置でき、かつ前記空気吹出孔７ａ，７ｂ，７ｃや冷蔵庫の冷風吹出孔などの略水平方向に吹き出される空気を効果的に消臭することができる。
【００３０】
ところで、前記飲料容器収納ケース１０の内側の大きさ・形状は、飲料容器収納ケース１０内に収納された缶入りジュース等の飲料容器が自動車の走行中の加速・減速または旋回等によって傾倒して飲料容器から飲料が零れ落ちないように飲料容器の外側面と飲料容器収納ケース１０の上端内周縁１０ｃとの隙間が小さくなるように設定され、たとえ何れかの方向に飲料容器が傾倒しそうになっても該飲料容器の外側面と飲料容器収納ケース１０の上端内周縁１０ｃとがすぐに当接して飲料容器が大きく傾倒しないようになっている。
【００３１】
このため、本実施形態による空気消臭装置１は、容器本体２および蓋体３とが一体的に結合されて構成される容器が、その側部を片手で掴める大きさをし、かつ横断面の外周形状が略円形をした筒状すなわち外観的には缶入り清涼飲料水の容器と略同一の形態・大きさに形成されているので、自動車の走行中の加速・減速または旋回等によって空気消臭装置１が傾倒しそうになっても前記容器の外側面と飲料容器収納ケース１０の上端内周縁１０ｃとがすぐに当接して空気消臭装置１が大きく傾倒することはない。この結果、前記の加速・減速または旋回等が終了すると空気消臭装置１は自重により元の正立状態に復帰することができ、空気消臭装置１の空気流入口２ｂは前記空気吹出孔７ａに確実に対向される。
【００３２】
また、容器本体２および蓋体３とが一体的に結合されて構成される容器は、鉛直方向に長尺に形成されているので、空気流入口２ｂ，空間２ｆ，消臭剤４，空間３ｄおよび排気孔３ｃの各部分をこれらの順に下方から上方に向かって鉛直方向に並べて配置する構造を容易に構成することができるとともに、空気消臭装置１を冷蔵庫内の食料品保存棚に設置して使用する場合でも、該食料品保存棚の食料品の設置面積をあまり占有しないので食料品の保管スペースを殆ど狭めることはない。
【００３３】
また上述したように、容器本体２および蓋体３とが一体的に結合されて構成される容器は、横断面の外周形状が略円形に形成されているので外周の周長に対する該容器内空間の横断面積を広く取ることができる。このため該容器を鉛直方向に長尺な筒状に形成したにもかかわらず、空間２ｆ，消臭剤４および空間３ｄの各容積を十分確保することができる。
【００３４】
また、容器本体２の底面部２ａに接着された摩擦部剤６は、その外径寸法が前記底面部２ａの外径寸法と略同一とされ、該摩擦部剤６の底面が空気消臭装置１の設置部６ａとされているので、飲料容器収納ケース１０内の底面部１０ｂや冷蔵庫内の食料品保存棚などの水平面上に空気消臭装置１を安定的に設置することができる。
【００３５】
また、空気消臭装置１の排気孔３ｃが蓋体３の底面部３ｂに設けられているので、空気消臭装置１を冷蔵庫内の食料品保存棚に設置して使用する場合でも、空気消臭装置１に近接して食料品を並置しても該食料品によって前記排気孔３ｃが遮蔽される虞がない。このため、空気流入口２ｂから導入された空気は前記食料品によって邪魔されることなく排気孔３ｃから上方に向かって排気され、消臭効果を十分発揮することができる。
【００３６】
また、容器本体２および蓋体３とが一体的に結合されて構成される容器は、外観的には缶入り清涼飲料水の容器と略同一の形態・大きさに形成されているので、自動車のエアコン用の空気吹出孔７ａ，７ｂ，７ｃの前方に取り付けられた飲料容器収納ケース１０内や冷蔵庫内に設置する場合でも見栄えを損なうことはなく周りの外観に対して違和感を与えることもない。
【００３７】
尚、本実施形態では消臭剤４の原料を、粉粒状のものを使用してその粉粒間の隙間を空気が通過するようにしたが、固形のもの（例えば輪形をしたもの）を使用してその固形の表面（輪形の場合はその輪形の内側面）に沿って空気が通過するようにしてもよい。
【００３８】
また、本実施形態では消臭剤４を容器本体２内に設置するようにしたが、蓋体３内に、または一つの消臭剤４を容器本体２および蓋体３に跨って設置するようにしてもよい。
【００３９】
また、本実施形態では空気消臭装置１の容器（容器本体２と蓋体３とが一体的に結合されて構成されるもの）を、その横断面の外周形状が略円形をした筒状に形成したが、略正多角形をした筒状に形成してもよい。
さらにまた、本実施形態では空気消臭装置１の容器（容器本体２と蓋体３とが一体的に結合されて構成されるもの）を缶入り清涼飲料水の容器の形態・大きさを模倣したものとしたが、菓子容器やウェットティッシュ容器などの身の回り品の形態・大きさを模倣したものとしてもよい。
【００４０】
（２）  第２実施形態
図１０および１１は、本発明の第２実施形態に係る空気消臭装置１を示すものであり、前記第１実施形態の図６および９にそれぞれ相当するものである。この第２実施形態に係る空気消臭装置１は第１実施形態のものと比べて、消臭剤４の構成が異なるだけでそれ以外は第１実施形態のものと同じである。図１０および１１において、前記第１実施形態で説明したものと同一若しくは同等部材については、同一符号を付し詳細な説明は省略する。
【００４１】
図１０および１１において消臭剤４は、無数の微小孔を有する和紙、不織布または織布で成形された通風性シート４ｂからなる収納容器内に粉粒状（粉体および／もしくは粒体）の活性炭４ｃが充填されて構成されている。通風性シート４ｂからなる前記収納容器は、通風性シート４ｂが予め袋状に形成されたものまたは１枚のシート状の通風性シート４ｂによって活性炭４ｃが包み込まれて略円柱状に形成されている。
【００４２】
充填される活性炭４ｃの分量は、消臭剤４の上側に載置された環状プレート５の上面が蓋体３の下端部によって押圧されて消臭剤４が上下の環状プレート５，５によって挟持されるとともに若干圧縮されてガタなく容器本体２内に保持されるように設定されている。
【００４３】
以上のような第２実施形態による空気消臭装置１によれば、活性炭４ｃが充填される収納容器が通風性シート４ｂだけで構成されているので、第１実施形態による空気消臭装置１と比べて前記収納容器の部品点数を少なくでき、安価に製作できる。
また、活性炭４ｃが充填される収納容器が通風性シート４ｂだけで構成されているので、容器本体２内に消臭剤４をセットする際、消臭剤４を圧縮しながらセットするだけで消臭剤４の外周を容器本体２の内周壁面に隙間なく容易に密着させることができる。このため消臭剤４が上下の環状プレート５，５によってしっかり挟持されることとあいまって、消臭剤４の外周の隙間から空気が漏れるようなことはなく、空気流入口２ｂに導入された空気は確実に消臭剤４内を通過する。
【００４４】
（３）  第３実施形態
図１２乃至１４は、本発明の第３実施形態に係る空気消臭装置１を示すものであり、前記第１実施形態の図２，６および７にそれぞれ相当するものである。この第３実施形態に係る空気消臭装置１は第１実施形態のものに対して、後述するガイド板１１を設けただけでそれ以外は第１実施形態のものと同じである。図１２乃至１４において、前記第１実施形態で説明したものと同一若しくは同等部材については、同一符号を付し詳細な説明は省略する。
【００４５】
容器本体２の外方から見て、空気流入口２ｂの背面側には湾曲した平板状のガイド板１１（樹脂製）が配設されている。該ガイド板１１の上端部１１ａは、容器本体２の内壁面に内方に向かって円周状に突設されたリブ２ｃの下面に当接して位置決めされている。一方、前記ガイド板１１の下端部１１ｂは、容器本体２の底面部２ａから斜め上方にやや湾曲して延設された斜面部２ｈに当接して位置決めされている。
【００４６】
また、ガイド板１１の側縁部は容器本体２の内壁面に隙間なく密着している。そして、容器本体２の内壁面に接触しているガイド板１１の部位の一部が接着剤により容器本体２の内壁面に接着固定されている。
【００４７】
而してエアコンの作動中には空気吹出孔７ａから略水平方向に排出された冷風または暖風が直接かつ強制的に空気消臭装置１の空気流入口２ｂに導入され、この導入された空気はガイド板１１により上方に流れを変えられる。該ガイド板１１は湾曲しているので導入された空気を滑らかに上方に導くことができる。このためガイド板１１によって導かれた空気は消臭剤４内を勢いよく通過して蓋体３の底面部３ｂに設けられた排気孔３ｃから排気される。この結果、より多くの空気が消臭剤４を通過し、乗車室内の空気が一層効率よく消臭される。
【００４８】
尚、本実施形態では消臭剤４を第１実施形態のもと同様のものを使用したが、第２実施形態の消臭剤と同様のものを使用してもよい。
【００４９】
【発明の効果】
請求項１の発明に係る空気消臭装置によれば、該空気消臭装置の容器を、その側部が片手で掴める大きさをした鉛直方向に長尺な筒状に形成し、該容器の側面部に空気流入口を開口したので、自動車のエアコン用の空気吹出孔の前方に取り付けられた飲料容器収納ケース内や冷蔵庫内等にも簡単に設置でき、かつ前記空気吹出孔や冷蔵庫の冷風吹出孔などの略水平方向に吹き出される空気を効果的に消臭することができる。
【００５０】
また、前記の飲料容器収納ケース内に設置される場合でも、空気消臭装置の容器が、その側部を片手で掴める大きさをし、かつ横断面の外周形状が略円形または略正多角形をした筒状に形成されているので、自動車の走行中の加速・減速または旋回等によって空気消臭装置が傾倒しそうになっても前記容器の外側面と飲料容器収納ケースの上端内周縁とがすぐに当接して空気消臭装置が大きく傾倒することはない。この結果、前記の加速・減速または旋回等が終了すると空気消臭装置は自重により元の正立状態に復帰することができ、空気消臭装置の空気流入口は前記空気吹出孔に確実に対向される。
【００５１】
また、空気消臭装置の容器は、鉛直方向に長尺に形成されているので、空気流入口，消臭剤および排気孔の各部分をこれらの順に下方から上方に向かって鉛直方向に並べて配置する構造を容易に構成することができるとともに、空気消臭装置を冷蔵庫内の食料品保存棚に設置して使用する場合でも、該食料品保存棚への設置スペースを少なくできる。このため食料品の保管スペースを殆ど狭めることはない。
【００５２】
また、空気消臭装置の容器は、横断面の外周形状が略円形または略正多角形をした筒状に形成されているので外周長さに対する該容器内空間の横断面積を広く取ることができる。このため該容器を鉛直方向に長尺な筒状に形成したにもかかわらず、消臭剤の容積を十分確保することができる。
【００５３】
また、空気消臭装置の容器底面部には設置部が設けられているので、飲料容器収納ケース内の底面部や冷蔵庫内の食料品保存棚などの水平面上に空気消臭装置をその容器が鉛直方向に長尺となる状態で安定的に設置することができる。
【００５４】
請求項２の発明に係る空気消臭装置によれば、空気消臭装置の容器が、外観的には身の回り品の形態・大きさを模倣したものに形成されているので、自動車のエアコン用の空気吹出孔の前方に取り付けられた飲料容器収納ケース内等に設置する場合でも見栄えを損なうことはなく周りの外観に対して違和感を与えることもない。
【００５５】
請求項３の発明に係る空気消臭装置によれば、空気消臭装置の容器を上側容器と下側容器の上下二分割構造としたので、各容器を製造する際の成形が容易となる。また、前記各容器を互いに嵌脱可能とし、これら容器の少なくとも何れか一方の容器内に消臭剤を着脱可能に設置するようにしたので、使用済みの消臭剤を新品の消臭剤と容易に交換することができる。
【００５６】
請求項４の発明に係る空気消臭装置によれば、前記消臭剤と前記排気孔との間に空間を設けたので、消臭剤を粉粒状のものを使用した場合には空気消臭装置の空気流入口から流入した空気を消臭剤全体に亘って均一に通過させることができる。このため消臭剤が均等に劣化するので消臭剤を経済的に使用することができる。
【図面の簡単な説明】
【図１】本発明の第１実施形態による空気消臭装置の正面図である。
【図２】上記空気消臭装置の背面図である。
【図３】上記空気消臭装置の右側面図である。
【図４】上記空気消臭装置の平面図である。
【図５】上記空気消臭装置の底面図である。
【図６】図２のＡ−Ａ線に沿う拡大断面図である。
【図７】上記空気消臭装置を使用した時の空気が流れる状態を示す図である。
【図８】図７のＢ−Ｂ線に沿う拡大断面図である。
【図９】上記空気消臭装置の拡大分解図である。
【図１０】本発明の第２実施形態による空気消臭装置の上記図６に相当する図である。
【図１１】上記空気消臭装置の拡大分解図である。
【図１２】本発明の第３実施形態による空気消臭装置の背面図である。
【図１３】図１２のＣ−Ｃ線に沿う拡大断面図である。
【図１４】上記空気消臭装置を使用した時の空気が流れる状態を示す図である。
【図１５】自動車の乗車室内を示す図である。
【符号の説明】
１    空気消臭装置
２    容器本体（下側容器）
２ｂ  空気流入口
３    蓋体（上側容器）
３ｃ  排気孔
３ｄ  空間
４    消臭剤
６ａ  設置部
【図１】
0004074351.tif 000002
【図２】
0004074351.tif 000003
【図３】
0004074351.tif 000004
【図４】
0004074351.tif 000005
【図５】
0004074351.tif 000006
【図６】
0004074351.tif 000007
【図７】
0004074351.tif 000008
【図８】
0004074351.tif 000009
【図９】
0004074351.tif 000010
【図１０】
0004074351.tif 000011
【図１１】
0004074351.tif 000012
【図１２】
0004074351.tif 000013
【図１３】
0004074351.tif 000014
【図１４】
0004074351.tif 000015
【図１５】
0004074351.tif 000016